(57)【要約】      （修正有）【課題】靴下と床面（靴内面）間及び足と靴下間の双方の滑りを防止することにより歩行時の十分な滑り止め効果を得るとともに、靴との密着感を得ることにより足の動きに対して不安定感や不自然感を与える不具合を回避し、さらに、動きの激しいスホーツにおける急加速及び急停止を可能にすることができる靴下の提供。【解決手段】靴下本体２の一部に滑止面部を設けた靴下１を構成するに際して、靴下本体２の外面２ｏに外滑止面部３ｏを設け、かつ靴下本体２の内面２ｉに内滑止面部３ｉを設けるとともに、外滑止面部３ｏと内滑止面部３ｉの少なくとも一部をオーバラップさせてなる滑止部Ａを有する。【選択図】図１
0003109393.tif 000002
【実用新案登録請求の範囲】
【請求項１】
靴下本体の一部に滑止面部を設けた靴下において、前記靴下本体の外面に外滑止面部を設け、かつ前記靴下本体の内面に内滑止面部を設けるとともに、前記外滑止面部と前記内滑止面部の少なくとも一部をオーバラップさせてなる滑止部を有することを特徴とする靴下。
【請求項２】
前記滑止部は、前記靴下本体の踵部及び爪先部を含む当該踵部と当該爪先部間における選定した一又は二以上の位置に設けることを特徴とする請求項１記載の靴下。
【請求項３】
前記滑止部は、前記外滑止面部と前記内滑止面部のそれぞれの面積を５０〔％〕以上オーバラップさせることを特徴とする請求項１記載の靴下。
【請求項４】
前記滑止部（第一滑止部）に加えて、前記靴下本体における靴下口ゴム部の内面に擦り落ちを防止する滑止剤を塗布してなる第二滑止部とを有することを特徴とする請求項１記載の靴下。
【考案の詳細な説明】
【技術分野】
【０００１】
本考案は、靴下本体の一部に滑止面部を設けた靴下に関する。
【背景技術】
【０００２】
一般に、靴下を履いた場合、フローリングや畳の床面を歩く際には滑り易くなり、特に、お年寄りなどが滑って転倒する虞れが有る。このため、従来より、靴下の足底部分の外表面に滑止面部を設けて滑りにくくした靴下も知られている。
【０００３】
例えば、実用新案登録第３０７８６１４号公報には、靴下の底部外表面に、シリコンゴム液を塗布して固化させた滑り止め部分を取付けることにより、畳の上等で足が滑らないようにした滑り止め靴下が開示されている。
【特許文献１】実用新案登録第３０７８６１４号
【考案の開示】
【考案が解決しようとする課題】
【０００４】
しかし、上述した従来の靴下（滑り止め靴下）は、次のような問題点があった。
【０００５】
第一に、靴下と床面間或いは靴下と靴内面間の滑りは防止されるものの、足と靴下間の滑りについては何ら考慮されないため、歩行時において十分な滑り止め効果を得ることができない。
【０００６】
第二に、靴下と床面間或いは靴下と靴内面間のみが固定された状態になるため、スポーツ等の激しい動きにおいては、足の動きに対して靴下がいわゆる置いて行かれる状態となり、足の動きに対して返って不安定感や不自然感を与えてしまう。
【０００７】
本考案は、このような背景技術に存在する課題を解決した靴下の提供を目的とするものである。
【課題を解決するための手段】
【０００８】
本考案は、上述した課題を解決するため、靴下本体２の一部に滑止面部を設けた靴下１を構成するに際して、靴下本体２の外面２ｏに外滑止面部３ｏを設け、かつ靴下本体２の内面２ｉに内滑止面部３ｉを設けるとともに、外滑止面部３ｏと内滑止面部３ｉの少なくとも一部をオーバラップさせてなる滑止部Ａを有することを特徴とする。
【０００９】
この場合、考案の好適な態様により、滑止部Ａは、靴下本体２の踵部２ｘ及び爪先部２ｙを含む当該踵部２ｘと当該爪先部２ｙ間における選定した一又は二以上の位置に設けることができる。また、滑止部Ａは、外滑止面部３ｏと内滑止面部３ｉのそれぞれの面積を５０〔％〕以上オーバラップさせることが望ましい。他方、このような滑止部（第一滑止部）Ａに加えて、靴下本体２における靴下口ゴム部２ｎの内面２ｎｉに擦り落ちを防止する滑止剤４を塗布してなる第二滑止部Ｂを設けることができる。
【考案の効果】
【００１０】
このような構成を有してなる本考案に係る靴下１によれば、次のような顕著な効果を奏する。
【００１１】
（１）  靴下１と床面（靴内面）Ｆ間及び足Ｈと靴下１間の双方の滑りを防止できるため、歩行時の十分な滑り止め効果を得ることができ、特に、お年寄りなどがフローリングや畳の床面Ｆ、更には階段等を安心して歩いたり上り下りすることができる。
【００１２】
（２）  靴下１と床面（靴内面）Ｆ間及び足Ｈと靴下１間の双方の滑りを防止できるため、ウォーキングやランニング等の運動をする際に靴との密着感が得られ、エネルギの効率的な運用に寄与できる。
【００１３】
（３）  靴下１と床面（靴内面）Ｆ間及び足Ｈと靴下１間の双方の滑りを防止できるため、サッカー，バレーボール，バスケットボールなどの動きの激しいスホーツにおいて、急加速及び急停止が可能になるとともに、足Ｈの動きに対して不安定感や不自然感を与える不具合を回避できる。
【００１４】
（４）  好適な態様により、滑止部Ａを、靴下本体２の踵部２ｘ及び爪先部２ｙを含む当該踵部２ｘと当該爪先部２ｙ間における選定した一又は二以上の位置に設ければ、用途に応じた滑止部Ａの最適な位置を選定し、最大の効果を引き出すことができる。
【００１５】
（５）  好適な態様により、滑止部Ａを、外滑止面部３ｏと内滑止面部３ｉのそれぞれの面積を５０〔％〕以上オーバラップさせれば、滑止部Ａによる滑り止め効果を確実に確保することができる。
【００１６】
（６）  好適な態様により、滑止部（第一滑止部）Ａに加えて、靴下本体２における靴下口ゴム部２ｎの内面２ｎｉに擦り落ちを防止する滑止剤４を塗布してなる第二滑止部Ｂを設ければ、足底の滑り止め防止に加え、靴下口ゴム部２ｎの擦り落ち防止を実現することができる。
【考案を実施するための最良の形態】
【００１７】
次に、本考案の最良の実施形態に係る靴下１について、図１〜図８を参照して詳細に説明する。
【００１８】
本実施形態に係る靴下１は、図１及び図２に示すように、一般的な靴下を構成する靴下本体２を有するとともに、この靴下本体２に設けた滑止部（第一滑止部）Ａを有する。滑止部Ａは、靴下本体２の外面２ｏに設ける外滑止面部３ｏと靴下本体２の内面２ｉに設ける内滑止面部３ｉを有する。また、滑止部Ａ（外滑止面部３ｏ及び内滑止面部３ｉ）を設ける位置は、図１〜図４に例示の靴下１では、靴下本体２の踵部２ｘに選定した。このように、滑止部Ａを踵部２ｘに設ければ、特に、歩行時の十分な滑り止め効果を得ることができ、特に、お年寄りなどがフローリングや畳の床面Ｆを安心して歩くことができる。
【００１９】
なお、図５には、滑止部Ａ（外滑止面部３ｏ及び内滑止面部３ｉ）を設ける位置の他の例を示す。図５（ａ）は、靴下本体２の踵部２ｘと爪先部２ｙ間であって爪先部２ｙの近傍の位置２ｚｆに設けた例を示す。この場合も、歩行時の十分な滑り止め効果を得ることができ、特に、階段を上る際の滑り止めに有効になるとともに、ウォーキングやランニング等の運動をする際に靴との密着感が得られ、エネルギの効率的な運用に寄与できる利点がある。図５（ｂ）は、靴下本体２の爪先部２ｙに設けた例であり、図５（ａ）と同様の効果を得ることができる。図５（ｃ）は、靴下本体２の踵部２ｘと爪先部２ｙ間であって、左右両側の二カ所の位置２ｚｐ，２ｚｑに設けた例を示す。この場合、特に、サッカー，バレーボール，バスケットボールなどの動きの激しいスホーツにおいて、急加速及び急停止が可能になるとともに、足Ｈの動きに対して不安定感や不自然感を与える不具合を回避できる。図５（ｄ）は、靴下本体２の踵部２ｘ及び爪先部２ｙの双方に設けた例を示す。このように、滑止部Ａは、靴下本体２の踵部２ｘ及び爪先部２ｙを含む当該踵部２ｘと当該爪先部２ｙ間における選定した一又は二以上の位置に設けることができ、様々な生活シーンやスポーツ等の各種用途に応じた滑止部Ａの最適な位置を選定し、最大の効果を引き出すことができる。
【００２０】
また、外滑止面部３ｏ及び内滑止面部３ｉの全体形状は任意に選定できる。図１〜図４に例示の全体形状は、それぞれ細長い矩形状をなす複数の面部メンバ３ｏｐ…及び面部メンバ３ｉｐ…の組合わせにより構成した。この場合、図３に示すように、各面部メンバ３ｏｐ…，３ｉｐ…同士を交互に配する。そして、外滑止面部３ｏと内滑止面部３ｉの少なくとも一部をオーバラップ、望ましくは、外滑止面部３ｏと内滑止面部３ｉのそれぞれの面積を５０〔％〕以上オーバラップさせる。このように、外滑止面部３ｏと内滑止面部３ｉのそれぞれの面積を５０〔％〕以上オーバラップさせれば、滑止部Ａによる滑り止め効果を確実に確保することができる。しかし、５０〔％〕未満のオーバラップであっても相応の効果を得ることができ、５０〔％〕以上オーバラップさせることが必須の条件となるものではない。
【００２１】
なお、オーバラップさせる面積は、外滑止面部３ｏと内滑止面部３ｉのそれぞれの全体面積である。したがって、例示の場合、二つの面部メンバ３ｏｐ…と二つの面部メンバ３ｉｐ…がそれぞれ交互に配されるため、各面部メンバ３ｏｐ…，３ｉｐ…同士は、オーバラップしないが、全体面積で見た場合には、概ね６０〔％〕程度オーバラップすることになる。このように、各面部メンバ３ｏｐ…，３ｉｐ…同士を交互に配すれば、全体の厚さは、外滑止面部３ｏ又は内滑止面部３ｉの一方のみの場合と同じ厚さになるため、滑止部Ａの全体の厚さが無用に厚くなる不具合を回避でき、履き心地性の向上に寄与できる利点がある。
【００２２】
一方、外滑止面部３ｏと内滑止面部３ｉを靴下本体２へ設ける手段としては、粘液性を有する滑止剤４の塗布或いはシート状に形成した滑止部材の貼付等の手段を用いることができる。滑止剤（滑止部材）４としては、熱硬化性ゴム素材或いは熱硬化性樹脂素材であって、正規硬化状態においてもある程度の軟性を有する素材、例えば、シリコン系ゴム素材，ラテックス系ゴム素材，アクリル樹脂素材，ポリ塩化ビニル樹脂素材，ポリウレタン樹脂素材をはじめ、各種ゴム素材や合成樹脂素材等を利用可能である。
【００２３】
この場合、外滑止面部３ｏ及び内滑止面部３ｉの表面形態は、平坦面、即ち、ベタ塗りによる凹凸の無い表面形態としてもよいし、図６に示すような凹凸を有する各種表面形態を採用することもできる。図６（ａ）は、表面に多数のイボ部（球面突起部）３ｂ…を設けたものであり、より滑り止め効果を高めることができる。なお、図３に示した外滑止面部３ｏ及び内滑止面部３ｉにも同様のイボ部３ｂ…を設けている。図６（ｂ）は、多数のメッシュを有する格子条３ｍを設けたものであり、図６（ａ）と同様の効果を得ることができる。図６（ｃ）は前後方向のストライプ部３ｓｖ…を設けたものであり、また、図６（ｄ）は左右方向のストライプ部３ｓｈ…を設けたものである。この場合、図６（ｃ）は、特に前後方向の滑り止めに効果があるとともに、図６（ｄ）は、特に左右方向の滑り止めに効果がある。
【００２４】
よって、靴下本体２に対して、このような滑止部Ａを設けることにより、図４に示すように、内滑止面部３ｉにより、足Ｈと靴下１間の滑り止めが図られるとともに、外滑止面部３ｏにより、靴下本体２と床面（靴内面）Ｆ間の滑り止めが図られるため、結果的に、足Ｈと床面（靴内面）Ｆ間の確実な滑り止め効果が得られる。
【００２５】
他方、本実施形態に係る靴下１では、上述した滑止部（第一滑止部）Ａに加えて、靴下本体２における靴下口ゴム部２ｎの内面２ｎｉに擦り落ちを防止する滑止剤４を塗布した第二滑止部Ｂを設けている。靴下口ゴム部２ｎの内面２ｎｉは、自然状態Ｍｎでは図８（ａ）に示すように、平坦状となり、かつ広げた状態Ｍｅでは図８（ｂ）に示すように、横方向に複数の凸条１１…が配列する畝状となるため、この内面２ｎｉを広げた状態Ｍｅにして、凸条１１…の先端面にのみ滑止剤４を塗布して第二滑止部Ｂを設けたものである。図８は、製造工程の一部を示しており、図８（ａ）は、裏返した靴下本体２の中に治具２０を収容し、この治具２０の狭幅部２０ｓを靴下口ゴム部２ｎに位置させることにより、内面２ｎｉを自然状態Ｍｎにし、スクリーン印刷を用いて滑止剤４を足Ｈに対する当接面２ｉｓの一部又は全部に塗布する状態を示している。また、図８（ｂ）は、図８（ａ）の工程後、治具２０を移動させて広幅部２０ｗを靴下口ゴム部２ｎに位置させることにより、滑止剤４を塗布した内面部２ｉの広げた状態Ｍｅを示している。これにより、滑止剤４を正規に硬化するまで乾燥させれば、第二滑止部Ｂを設けることができる。なお、図８（ｂ）中の円Ｄは部分拡大図を示している。
【００２６】
よって、上述した第一滑止部Ａに加えて、靴下本体２における靴下口ゴム部２ｎの内面２ｎｉに擦り落ちを防止する滑止剤４を塗布してなる第二滑止部Ｂを設けることにより、図４に示すように、第一滑止部Ａによる足底の滑り止め防止に加え、靴下口ゴム部２ｎの擦り落ち防止を実現することができる。特に、第二滑止部Ｂのように構成すれば、内面部２ｉに滑止剤４を塗布した場合であっても、滑止剤４を靴下口ゴム部２の伸縮に追従させることができるため、靴下１における本来の機能が失われる不具合、即ち、靴下１をスムースに履いたり脱いだりすることができなくなったり、靴下１を履いた際における足に対するフィット感等が損なわれる不具合を回避できる。また、滑止剤４が靴下１の伸縮に晒されることがないため、使用を繰り返した場合であっても、滑止剤４が靴下１の表面から剥がれ落ちることが無くなり、実用的な耐久性を得ることができる利点がある。
【００２７】
以上、最良の実施形態について詳細に説明したが、本考案は、このような実施形態に限定されるものではなく、細部の構成，形状，素材，数量，数値等において、本考案の要旨を逸脱しない範囲で、任意に変更，追加，削除することができる。
【００２８】
例えば、内滑止面部３ｉと外滑止面部３ｏのそれぞれの形状や大きさは任意に選定することができ、これらは内滑止面部３ｉと外滑止面部３ｏとで異なっていてもよい。特に、図１〜図４に示す実施形態では、複数の面部メンバ３ｏｐ…，３ｉｐ…の組合わせにより構成したが、各面部メンバ３ｏｐ…（３ｉｐ…）は、連続した一体態様の内滑止面部３ｉ（外滑止面部３ｏ）でも勿論よく、この場合には、これら連続した一体態様の内滑止面部３ｉと外滑止面部３ｏが実質的にオーバラップすることになる。なお、本考案における靴下１とは、ニット製室内履きや布帛縫製の室内履き等の各種類似物品を含む概念である。また、第二滑止部Ｂを設けた場合を示したが、第二滑止部Ｂを設けるか設けないかは任意である。
【図面の簡単な説明】
【００２９】
【図１】本考案の最良の実施形態に係る靴下の外観側面図、
【図２】同靴下の外観底面図、
【図３】同靴下における滑止部（第一滑止部）の断面側面図、
【図４】同靴下を足に履いた状態の態様を示す断面側面図、
【図５】同靴下における滑止部を設ける位置を例示する外観底面図、
【図６】同靴下における滑止部の表面形態を例示する外観底面図、
【図７】同靴下の第二滑止部における内面部の正面図、
【図８】同靴下における第二滑止部の製造工程の一部を示す断面平面図、
【符号の説明】
【００３０】
１      靴下
２      靴下本体
２ｏ    靴下本体の外面
２ｉ    靴下本体の内面
２ｘ    踵部
２ｙ    爪先部
２ｎ    靴下口ゴム部
２ｎｉ  靴下口ゴム部の内面
３      滑止面部
３ｉ    靴下本体の内滑止面部
３ｏ    靴下本体の外滑止面部
４      滑止剤
Ａ      滑止部（第一滑止部）
Ｂ      第二滑止部
【図１】
0003109393.tif 000003
【図２】
0003109393.tif 000004
【図３】
0003109393.tif 000005
【図４】
0003109393.tif 000006
【図５】
0003109393.tif 000007
【図６】
0003109393.tif 000008
【図７】
0003109393.tif 000009
【図８】
0003109393.tif 000010